【手続補正書】
【提出日】平成18年2月3日(2006.2.3)
【手続補正１】
【補正対象書類名】特許請求の範囲
【補正対象項目名】全文
【補正方法】変更
【補正の内容】
【特許請求の範囲】
【請求項１】
異なる更新世代の産業財産権経過情報を比較して更新世代間の相違点を検出する検出ステップと、
前記検出ステップにおいて検出された更新世代間の前記相違点について新しい更新世代の前記産業財産権経過情報に標識を付加する付加ステップと、
前記付加ステップにおいて前記標識が付加された前記産業財産権経過情報を提示する提示ステップと、
を具備することを特徴とする産業財産権経過情報提供方法。
【請求項２】
前記提示ステップは、前記標識が付加された前記産業財産権経過情報の一覧と前記一覧に記載された個々の前記産業財産権経過情報についての前記標識が付加された詳細情報との双方を提示することを特徴とする請求項１記載の産業財産権経過情報提供方法。
【請求項３】
前記提示ステップは、前記標識が付加された前記産業財産権経過情報の一覧を提示した後に、提示した前記一覧に記載された個々の前記産業財産権経過情報の前記標識が付加された詳細情報を提示することを特徴とする請求項２記載の産業財産権経過情報提供方法。
【請求項４】
前記提示ステップは、前記標識が付加された前記産業財産権経過情報の項目を前記標識が付加されていない前記産業財産権経過情報の項目とは異なる表示色にして提示することを特徴とする請求項１から請求項３のいずれかに記載の産業財産権経過情報提供方法。
【請求項５】
前記提示ステップは、前記標識が付加された前記産業財産権経過情報の項目の表示色を重要度に応じて異ならせて提示することを特徴とする請求項４記載の産業財産権経過情報提供方法。
【請求項６】
前記提示ステップは、前記標識が付加された前記産業財産権経過情報の項目に下線を付して提示することを特徴とする請求項１から請求項３のいずれかに記載の産業財産権経過情報提供方法。
【請求項７】
前記産業財産権経過情報を更新世代毎に保持する保持ステップを具備し、
前記検出ステップは、前記保持ステップにおいて保持された前記産業財産権経過情報を更新世代毎に比較して前記相違点を検出することを特徴とする請求項１から請求項６のいずれかに記載の産業財産権経過情報提供方法。
【請求項８】
前記検出ステップは、最新の産業財産権経過情報と前記最新の産業財産権経過情報の一更新世代前の産業財産権経過情報とを比較して前記相違点を検出することを特徴とする請求項１から請求項７のいずれかに記載の産業財産権経過情報提供方法。
【請求項９】
登録された通知先に産業財産権経過情報提供装置が産業財産権経過情報を提供する方法であって、
前記産業財産権経過情報提供装置が前記産業財産権経過情報を更新世代毎に比較して更新世代間の相違点を検出する検出ステップと、
前記産業財産権経過情報提供装置が前記検出ステップにおいて更新世代間の前記相違点が検出されたことを前記通知先に通知する第１通知ステップと、
前記産業財産権経過情報提供装置が前記第１通知ステップにおいて通知された前記通知先から前記産業財産権経過情報の提示を要求される要求ステップと、
前記産業財産権経過情報提供装置が前記要求ステップにおける前記要求に応じて前記産業財産権経過情報を更新世代毎に比較して更新世代間の前記相違点を再度検出し、検出された前記相違点について標識を付加する付加ステップと、
前記産業財産権経過情報提供装置が前記標識の付加された前記産業財産権経過情報を前記通知先に提示する提示ステップと、を具備することを特徴とする産業財産権経過情報提供方法。
【請求項１０】
登録された前記通知先が複数存在する産業財産権経過情報提供方法であって、
前記産業財産権経過情報提供装置が前記提示ステップにおいて前記標識が付加された前記産業財産権経過情報を提示された前記通知先から前記産業財産権経過情報についてのコメントを受け付けるコメント受付ステップと、
前記産業財産権経過情報提供装置が前記コメント受付ステップにおいて前記コメントを受け付けられた前記通知先以外の他の通知先に前記コメントを通知する第２通知ステップと、を具備することを特徴とする請求項９に記載の産業財産権経過情報提供方法。
【請求項１１】
異なる更新世代の産業財産権経過情報を比較して更新世代間の相違点を検出する検出手段と、
前記検出手段により検出された更新世代間の前記相違点について新しい更新世代の前記産業財産権経過情報に標識を付加する付加手段と、
前記付加手段により前記標識が付加された前記産業財産権経過情報を提示する提示手段と、を具備することを特徴とする産業財産権経過情報提供装置。
【請求項１２】
前記提示手段は、前記標識が付加された前記産業財産権経過情報の一覧と前記一覧に記載された個々の産業財産権経過情報についての前記標識が付加された詳細情報との双方を提示することを特徴とする請求項１１記載の産業財産権経過情報提供装置。
【請求項１３】
前記提示手段は、前記標識が付加された前記産業財産権経過情報の一覧を提示した後に、提示した前記一覧に記載された個々の前記産業財産権経過情報の前記標識が付加された詳細情報を提示することを特徴とする請求項１２記載の産業財産権経過情報提供装置。
【請求項１４】
前記提示手段は、前記標識が付加された前記産業財産権経過情報の項目を前記標識が付加されていない前記産業財産権経過情報の項目とは異なる表示色にして提示することを特徴とする請求項１１から請求項１３のいずれかに記載の産業財産権経過情報提供装置。
【請求項１５】
前記提示手段は、前記標識が付加された前記産業財産権経過情報の項目の表示色を重要度に応じて異ならせて提示することを特徴とする請求項１４記載の産業財産権経過情報提供装置。
【請求項１６】
前記提示手段は、前記標識が付加された前記産業財産権経過情報の項目に下線を付して提示することを特徴とする請求項１１から請求項１３のいずれかに記載の産業財産権経過情報提供方装置。
【請求項１７】
前記産業財産権経過情報を更新世代毎に保持する保持手段を具備し、
前記検出手段は、前記保持手段において保持された前記産業財産権経過情報を更新世代毎に比較して前記相違点を検出することを特徴とする請求項１１から請求項１６のいずれかに記載の産業財産権経過情報提供装置。
【請求項１８】
前記検出手段は、最新の産業財産権経過情報と前記最新の産業財産権経過情報の一更新世代前の産業財産権経過情報とを比較して前記相違点を検出することを特徴とする請求項１１から請求項１７のいずれかに記載の産業財産権経過情報提供装置。
【請求項１９】
登録された通知先に産業財産権経過情報を提供する産業財産権経過情報提供装置であって、
前記産業財産権経過情報を更新世代毎に比較して更新世代間の相違点を検出する検出手段と、
前記検出手段により更新世代間の前記相違点が検出されたことを前記通知先に通知する第１通知手段と、
前記第１通知手段により通知された前記通知先から前記産業財産権経過情報の提示を要求される要求手段と、
前記要求手段における前記通知先からの要求に応じて前記産業財産権経過情報を更新世代毎に比較して更新世代間の前記相違点を再度検出し、検出された前記相違点について標識を付加する付加手段と、
前記付加手段により前記標識を付加された前記産業財産権経過情報を前記通知先に提示する提示手段と、を具備することを特徴とする産業財産権経過情報提供装置。
【請求項２０】
登録された前記通知先が複数存在する産業財産権経過情報提供方法において使用される産業財産権経過情報提供装置であって、
前記提示手段により前記標識が付加された前記産業財産権経過情報を提示された前記通知先から前記産業財産権経過情報についてのコメントを受け付けるコメント受付手段と、
前記コメント受付手段により前記コメントを受け付けられた前記通知先以外の他の通知先に前記コメントを通知する第２通知手段と、を具備することを特徴とする請求項１９に記載の産業財産権経過情報提供装置。
【手続補正２】
【補正対象書類名】明細書
【補正対象項目名】００１１
【補正方法】変更
【補正の内容】
【００１１】
本発明の産業財産権経過情報提供方法は、異なる更新世代の産業財産権経過情報を比較して更新世代間の相違点を検出する検出ステップと、前記検出ステップにおいて検出された更新世代間の前記相違点について新しい更新世代の前記産業財産権経過情報に標識を付加する付加ステップと、前記付加ステップにおいて前記標識が付加された前記産業財産権経過情報を提示する提示ステップと、を具備するようにした。
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】変更
【補正の内容】
【００１９】
本発明の産業財産権経過情報提供方法は、登録された通知先に産業財産権経過情報提供装置が産業財産権経過情報を提供する方法であって、前記産業財産権経過情報提供装置が前記産業財産権経過情報を更新世代毎に比較して更新世代間の相違点を検出する検出ステップと、前記産業財産権経過情報提供装置が前記検出ステップにおいて更新世代間の前記相違点が検出されたことを前記通知先に通知する第１通知ステップと、前記産業財産権経過情報提供装置が前記第１通知ステップにおいて通知された前記通知先から前記産業財産権経過情報の提示を要求される要求ステップと、前記産業財産権経過情報提供装置が前記要求ステップにおける前記要求に応じて前記産業財産権経過情報を更新世代毎に比較して更新世代間の前記相違点を再度検出し、検出された前記相違点について標識を付加する付加ステップと、前記産業財産権経過情報提供装置が前記標識の付加された前記産業財産権経過情報を前記通知先に提示する提示ステップと、を具備するようにした。
【手続補正１１】
【補正対象書類名】明細書
【補正対象項目名】００２０
【補正方法】削除
【補正の内容】
【手続補正１２】
【補正対象書類名】明細書
【補正対象項目名】００２１
【補正方法】削除
【補正の内容】
【手続補正１３】
【補正対象書類名】明細書
【補正対象項目名】００２２
【補正方法】削除
【補正の内容】
【手続補正１４】
【補正対象書類名】明細書
【補正対象項目名】００２３
【補正方法】変更
【補正の内容】
【００２３】
本発明の産業財産権経過情報提供装置は、異なる更新世代の産業財産権経過情報を比較して更新世代間の相違点を検出する検出手段と、前記検出手段により検出された更新世代間の前記相違点について新しい更新世代の前記産業財産権経過情報に標識を付加する付加手段と、前記付加手段により前記標識が付加された前記産業財産権経過情報を提示する提示手段と、を具備する構成を採る。
【手続補正１５】
【補正対象書類名】明細書
【補正対象項目名】００２４
【補正方法】削除
【補正の内容】
【手続補正１６】
【補正対象書類名】明細書
【補正対象項目名】００２５
【補正方法】変更
【補正の内容】
【００２５】
本発明の産業財産権経過情報提供装置は、登録された通知先に産業財産権経過情報を提供する産業財産権経過情報提供装置であって、前記産業財産権経過情報を更新世代毎に比較して更新世代間の相違点を検出する検出手段と、前記検出手段により更新世代間の前記相違点が検出されたことを前記通知先に通知する第１通知手段と、前記第１通知手段により通知された前記通知先から前記産業財産権経過情報の提示を要求される要求手段と、前記要求手段における前記通知先からの要求に応じて前記産業財産権経過情報を更新世代毎に比較して更新世代間の前記相違点を再度検出し、検出された前記相違点について標識を付加する付加手段と、前記付加手段により前記標識を付加された前記産業財産権経過情報を前記通知先に提示する提示手段と、を具備する構成を採る。
【手続補正１７】
【補正対象書類名】明細書
【補正対象項目名】００２６
【補正方法】削除
【補正の内容】
【手続補正１８】
【補正対象書類名】明細書
【補正対象項目名】００２７
【補正方法】削除
【補正の内容】
【手続補正１９】
【補正対象書類名】明細書
【補正対象項目名】００２８
【補正方法】削除
【補正の内容】